(57)【要約】【課題】濾過面をプリーツ形状に折曲したフィルタ濾材及びフラットパネル部を有する化粧パネルを使用した空気調和機において、製品のコンパクト化を可能とした空気調和機を提供する。【解決手段】遠心ファン３０等を収納する製品本体２０と、製品本体２０の正面に取り付けられる室内吸込口１２が形成された化粧パネル１０とを備える。化粧パネル１０は、中央部がフラットパネル部１３として形成され、このフラットパネル部１３の外周側に室内吸込口１２が形成されている。フラットパネル部１３とファン吸込口３２との間に、プリーツ形状のフィルタ濾材６１を備えたエアフィルタ６０が配置されている。エアフィルタ６０は、枠部材としてフィルタ濾材６１の折り山線に垂直な第１枠体６３と、折り山線と平行な一対の第２枠体とを有する。そして、第１枠体６３は、フィルタ濾材６１の吸込側部に空気通路部６３ｃが形成されている。【選択図】図２
2014031995.tif 000002
【特許請求の範囲】
【請求項１】
内部に送風機としての遠心ファン（３０）及び室内側熱交換器（４０）を収納する箱形の製品本体（２０）と、製品本体（２０）の正面に取り付けられる化粧パネル（１０）とを備えるとともに、化粧パネル（１０）の中央部がフラットパネル部（１３）として形成され、フラットパネル部（１３）の外周側に室内吸込口（１２）が形成されてなる空気調和機であって、
前記遠心ファン（３０）は、ファン吸込口（３２）が化粧パネル（１０）の正面と平行となるように配置され、
前記フラットパネル部（１３）と前記のファン吸込口（３２）との間には、前記フラットパネル部（１０）と平行に正面視四辺形のエアフィルタ（６０）が配置され、さらに、このエアフィルタ（６０）は、濾過面をプリーツ形状に折曲したフィルタ濾材（６１）とこのフィルタ濾材（６１）の周囲を固定する枠部材（６２）とを有し、
枠部材（６２）は、フィルタ濾材（６１）の折り山線に垂直な一対の第１枠体（６３）と、フィルタ濾材（６１）の折り山線に平行な一対の第２枠体（６４）とを備え、
第１枠体（６３）は、フィルタ濾材（６１）の折り山線に垂直な端面を接合する側面壁（６３ｂ）を有し、この側面壁（６３ｂ）におけるフィルタ濾材（６１）の吸込側に位置する端部の、長さ方向の形状が、少なくとも長さ方向の大部分においてフィルタ濾材（６１）の端面が描く折曲線に沿う凹凸状に形成されている
ことを特徴とする空気調和機。
【請求項２】
請求項１記載の空気調和機において、
前記製品本体（２０）は、直方体状に形成され、
前記化粧パネル（１０）は、この製品本体（２０）の形状に対応して正面視矩形状に形成されたものであって、長辺に沿ってスリット状の室内吹出口（１１）が形成されるとともに、室内吹出口（１１）の内周側にはスリット状の室内吸込口（１２）が形成され、さらに、この室内吸込口（１２）の内周側に矩形状のフラットパネル部（１３）が形成され、
前記エアフィルタ（６０）は、前記フラットパネル部（１３）と対向するように矩形状に形成されて配置されるとともに、前記第１枠体（６３）が長手方向となるように形成されている
ことを特徴とする空気調和機。
【請求項３】
請求項２記載の空気調和機において、
前記エアフィルタ（６０）は、枠部材（６２）が樹脂一体成形されたものであって、枠部材（６２）が樹脂一体成形される際に前記フィルタ濾材（６１）の外周が前記枠部材（６２）に埋め込まれて成る
ことを特徴とする空気調和機。
【請求項４】
請求項３記載の空気調和機において、
前記第１枠体（６３）は、フィルタ濾材（６１）の端面を接合する前記側面壁（６３ｂ）の内面側にフィルタ濾材（６１）の端面が描く折曲線に対応する波型形状の厚肉部（６３ｄ）が形成されている
ことを特徴とする空気調和機。
【請求項５】
請求項４記載の空気調和機において、
前記エアフィルタ（６１）は、枠部材（６２）として、この枠部材（６２）の内周側の空気通過面を長手方向に複数に分割する、短手方向に延びる短手中間枠（６６）と、前記枠部材（６２）の内周側の空気通過面を短手方向に複数に分割する、長手方向に延びる長手中間枠（６７）とを有し、
前記フィルタ濾材（６１）は、これら中間枠に部分的に埋め込まれるように形成されている
ことを特徴とする空気調和機。
【請求項６】
請求項１〜５の何れか１項に記載の空気調和機は、前記製品本体（２０）と化粧パネル（１０）とで天井材（Ｒ）を挟みこむように形成された直方体状の天井埋込型空気調和機である
ことを特徴とする空気調和機。
【発明の詳細な説明】
【技術分野】
【０００１】
本発明は、空気調和機に係り、特に、機内に配置された遠心ファンのファン吸入口と室内吸込口との間にエアフィルタを配置する空気調和機に関する。
【背景技術】
【０００２】
従来、機内に配置された遠心ファンのファン吸入口と室内吸込口との間にエアフィルタを配置する典型的な空気調和機として天井埋込型空気調和機がある。その一例は図１０に示されるようなものである。
【０００３】
この従来例に係る天井埋込型空気調和機は、天井裏に埋設される直方体状の製品本体１０１と、この製品本体１０１の下部において天井材Ｒを貫通するように取り付けられる正面視長方形状の化粧パネル１０２とから構成されている。なお、空気調和機における正面は、使用時に最も人の目を引き付ける面と考えるのが一般的であると思われるので、本明細書においては天井埋込型空気調和機の下面が同空気調和機の正面であるとした。したがって、本明細書において、天井埋込型空気調和機の下面というときは天井埋込型空気調和機における正面と同義である。
【０００４】
製品本体１０１は、次のように構成されている。製品本体１０１の本体ケーシングの中央部には、回転軸を鉛直方向とするとともに、ファン吸込口１０３ａが下方を向くようにして遠心ファン１０３が配置されている。また、遠心ファン１０３の吹出側となる側方には、室内側熱交換器１０４が配置されている。そして、このファン吸込口１０３ａの下方には、ベルマウス１０５を介しエアフィルタ１０６が配置され、エアフィルタ１０６の直下に化粧パネル１０２の下面が位置するように化粧パネル１０２が配置されている。また、この化粧パネル１０２は、下面の外周部に室内吹出口１０７が形成され、室内吹出口１０７で囲まれる下面の中央部全体に吸込みグリルを備えた室内吸込口１０８が形成されている。
【０００５】
上記従来例に係る空気調和機は、空調運転時、遠心ファン１０３の運転により室内吸込口１０８から室内空気を吸い込み、この空気を室内側熱交換器１０４で熱交換して室内吹出口１０７から吹き出すように形成されている。なお、この種空気調和機を記載した先行技術文献として特許文献１がある（特許文献１の図１２参照のこと）。
【０００６】
図１０に記載した従来例に係る空気調和機の場合は、吸込みグリルを備えた室内吸込口１０８が下面中央部の広い面積を占める外観デザインとなっている。
しかし、近年は、シンプルなデザインが好まれる傾向にあり、下面の中央部をフラットパネル化しようとする傾向がある。図１１は、下面の中央部をフラットパネル部１０９とした従来例である。なお、このような先行技術文献としては、例えば特許文献１がある（特許文献１の図１を参照のこと）。なお、図１１において図１０と同一の箇所には同一の符号を付しており、これにより以下の説明を簡略化する。
【０００７】
この空気調和機の場合は、化粧パネル１０２の下面外周側に室内吹出口１０７が形成され、その内周側の外周より部分には室内吸込口１０８が形成され、同内周側の中央部分はフラットパネル部１０９として形成されている。また、このフラットパネル部１０９は、一段下方に突出するように形成されており、室内吸込口１０８が外周から内周に向かって下方に傾斜する斜面上に形成されている。このように、フラットパネル部１０９とエアフィルタ１０６との間に所定寸法の隙間を形成しているのは、室内吸込口１０８から吸い込んだ室内空気が均一な速度分布となってエアフィルタ１０６を通過するようにするためと考えられる。
【０００８】
また、上記のような天井埋込型空気調和機に使用されるエアフィルタ１０６としては、フィルタ濾材をプリーツ形状にしたものが一般的に使用されている。なお、このようなプリーツ形状のフィルタ濾材を用いたエアフィルタに関する先行技術文献として、例えば、特許文献２を挙げることができる。
【先行技術文献】
【特許文献】
【０００９】
【特許文献１】特開２０００−４６３６６号公報
【特許文献２】特開２０１２−３０５５０号公報
【発明の概要】
【発明が解決しようとする課題】
【００１０】
ところで、図１１のように構成された従来の天井埋込型空気調和機は、エアフィルタ１０６と化粧パネル１０２の下面内周側のフラットパネル部１０９との間に所定寸法の隙間を必要とするため、図１０の構造の空気調和機と比較すると大きくなるという問題があった。特に、下面全体をフラットな形状とすると、吸い込みグリル部分のみが突出するだけでなく、製品全体の高さ寸法がこの隙間分増加することになる。
【００１１】
なお、上記は天井埋込型空気調和機を例に挙げて説明したが、このような問題は、天井埋込型空気調和機に限られたものではなく、例えば、前面を正面とする壁掛け型空調機においても同様の問題点を生ずる。また、天井埋込型空気調和機と同様に下面を正面とする天井吊下げ型空気調和機になどにおいても、同様の問題を生ずる。
【００１２】
本発明は、このような問題点を解消するためになされたものであって、エアフィルタにおけるフィルタ濾材の濾過面をプリーツ形状に折曲するとともに、化粧パネルにフラットパネル部を形成した空気調和機において、製品のコンパクト化を可能とした空気調和機を提供することを目的とする。
【課題を解決するための手段】
【００１３】
請求項１記載の発明に係る空気調和機は、内部に送風機としての遠心ファン及び室内側熱交換器を収納する箱形の製品本体と、製品本体の正面に取り付けられる化粧パネルとを備えるとともに、化粧パネルの中央部がフラットパネル部として形成され、フラットパネル部の外周側に室内吸込口が形成されてなる空気調和機であって、前記遠心ファンは、ファン吸込口が化粧パネルの正面と平行となるように配置され、前記フラットパネル部と前記遠心ファンのファン吸込口との間には、前記フラットパネル部と平行に正面視四辺形のエアフィルタが配置され、さらに、このエアフィルタは、濾過面をプリーツ形状に折曲したフィルタ濾材とこのフィルタ濾材の周囲を固定する枠部材とを有し、枠部材は、フィルタ濾材の折り山線に垂直な一対の第１枠体と、フィルタ濾材の折り山線に平行な一対の第２枠体とを備え、第１枠体は、フィルタ濾材の折り山線に垂直な端面を接合する側面壁を有し、この側面壁におけるフィルタ濾材の吸込側に位置する端部の、長さ方向の形状が、少なくとも長さ方向の大部分においてフィルタ濾材の端面が描く折曲線に沿う凹凸状に形成されていることを特徴とする。
【００１４】
このような構成によれば、第１枠体は、フィルタ濾材の端面を接合する側面壁を有し、この側面壁におけるフィルタ濾材の吸込側に位置する端部の、長さ方向の形状が、少なくとも長さ方向の大部分においてフィルタ濾材の端面が描く折曲線に沿う凹凸状に形成されているので、この側面壁の一端側に空気通路部を有することになる。換言すると、エアフィルタにおける空気吸込口は、従来のような空気通過面（すなわち、枠部材の内周側に形成される空気通過面）のみならず、エアフィルタの側面（すなわち、第１枠体における側面壁が形成される面）にも形成されていることになる。したがって、前記室内吸込口から吸い込まれた空気は、従来のものと同様にフラットパネル部とエアフィルタとの隙間を通過してエアフィルタの枠部材の内周側に形成される空気通過面から吸い込まれる他、フラットパネル部とエアフィルタとの隙間を通過せずに直接的にエアフィルタの側面からも吸い込まれる。このため、フラットパネル部とエアフィルタとの隙間を通過する空気量を減少させることができ、その分フラットパネル部とエアフィルタとの隙間を減少させることができる。これにより空気調和機をコンパクト化することができる。
【００１５】
請求項２記載の発明は、請求項１記載の空気調和機において、前記製品本体は、直方体状に形成され、前記化粧パネルは、この製品本体の形状に対応して正面視矩形状に形成されたものであって、長辺に沿ってスリット状の室内吹出口が形成されるとともに、室内吹出口の内周側にはスリット状の室内吸込口が形成され、さらに、この室内吸込口の内周側に矩形状のフラットパネル部が形成され、前記エアフィルタは、前記フラットパネル部と対向するように矩形状に形成されて配置されるとともに、前記第１枠体が長手方向となるように形成されていることを特徴とする。
【００１６】
このような構成によれば、エアフィルタの枠部材を構成する長手方向の第１枠体に空気通路部が形成されるので、フラットパネル部とエアフィルタとの隙間を通過する風量を効果的に減少させることができる。したがって、効果的に空気調和機をコンパクト化することができる。
【００１７】
請求項３記載の発明は、請求項２記載の空気調和機において、前記エアフィルタは、枠部材が樹脂一体成形されたものであって、枠部材が樹脂一体成形される際に前記フィルタ濾材の外周が前記枠部材に埋め込まれて成ることを特徴とする。
【００１８】
このような構成によれば、第１枠体は樹脂一体成形品であるので、第１枠体の側面壁が形成されている面におけるフィルタ濾材の吸込側に空気通路部を容易に形成することができる。また、第１枠体は、上記のようにフィルタ濾材の外周を埋め込むように樹脂一体成形されているので、フィルタ濾材の保持強度を大きくすることができる。また、第１枠体の肉厚を適宜選択することにより所要強度の第１枠体を得ることができる。
【００１９】
請求項４記載の発明は、請求項３記載の空気調和機において、前記第１枠体は、フィルタ濾材の端面を接合する前記側面壁の内面側にフィルタ濾材の端面が描く折曲線に対応する波型形状の厚肉部が形成されていることを特徴とする。
【００２０】
このような構成によれば、第１枠体は、フィルタ濾材の端面を接合する前記側面壁の内面側部分にフィルタ濾材の端面が描く折曲線に対応する波型形状の厚肉部が形成されているので、第１枠体に使用する材料を節約しながら、フィルタ濾材の折り山線に垂直な端部を埋め込む強度を大きくすることができる。また、これにより第１枠体の強度を大きくし、惹いては枠部材の強度を大きくすることができる。
【００２１】
請求項５記載の発明は、請求項４記載の空気調和機において、前記エアフィルタは、枠部材として、この枠部材の内周側の空気通過面を長手方向に複数に分割する、短手方向に延びる短手中間枠と、前記枠部材の内周側の空気通過面を短手方向に複数に分割する、長手方向に延びる長手中間枠とを有し、前記フィルタ濾材は、これら中間枠に部分的に埋め込まれるように形成されていることを特徴とする。
【００２２】
このような構成によれば、フィルタ濾材の中間部分が前記短手中間枠及び長手中間枠により支持されるので、フィルタ濾材の耐久性が向上するとともに、プリーツ形状がより変形し難くなり、エアフィルタの空気抵抗の低下を防止することができる。また、これら中間枠により枠部材の強度が向上し、エアフィルタの強度が向上する。
【００２３】
請求項６記載の発明は、請求項１〜５記載の空気調和機は、前記製品本体と化粧パネルとで天井材を挟みこむように形成された直方体状の天井埋込型空気調和機であることを特徴とする。
【００２４】
このような構成によれば、近年事務所ビル等の建築物への普及率が高まっている天井埋込型空気調和機をコンパクト化することにより、事務所ビル等の建築物における空調機の省スペース化、取付工事の省力化に貢献することができる。
【発明の効果】
【００２５】
本発明によれば、空気調和機に組み込まれるエアフィルタの側面、すなわち第１枠体における側面壁が形成されている面に空気通路部が形成されるので、室内吸込口からの空気の一部を、フラットパネル部とエアフィルタとの隙間を通過させずに、この空気通路部を通じて直接的にエアフィルタに通過させることができる。これにより空気調和機のコンパクト化を図ることができる。
【図面の簡単な説明】
【００２６】
【図１】本発明の実施の形態に係る天井埋込型空気調和機の外観斜視図である。
【図２】同天井埋込型空気調和機の機器配置を示した側断面図である。
【図３】同天井埋込型空気調和機の機器配置を示した平断面図である。
【図４】同天井埋込型空気調和機におけるエアフィルタの平面図である。
【図５】同エアフィルタの斜視図である。
【図６】同エアフィルタにおける第１枠体の側面壁の部分内面図である。
【図７】同エアフィルタの取付け部の詳細図である。
【図８】同エアフィルタにおける中間枠体の構成を示す斜視図である。
【図９】同エアフィルタの第１枠体の側面部における空気流れの説明図である。
【図１０】従来例に係る天井埋込型空気調和機の機器配置を示した側断面図である。
【図１１】他の従来例に係る天井埋込型空気調和機の機器配置を示した側断面図である。
【発明を実施するための形態】
【００２７】
以下図１〜図４を参照しながら、実施の形態１に係る空気調和機について説明する。
この空気調和機は、２方向吹出式の天井埋込型空気調和機であって、分離型空調機における室内ユニットを構成する。
【００２８】
この２方向吹出式の天井埋込型空気調和機は、図１及び図２に示されるように、平面形状が長方形を成す天井埋込型空気調和機であって、化粧パネル１０とこの化粧パネル１０の上方に連結される製品本体２０とから構成されている。化粧パネル１０は天井材Ｒ（図３参照）を挟むように製品本体２０の下方に取り付けられている。そして、製品本体２０は天井裏の建築構造部材（不図示）に対し吊り下げられるように取り付けられている。なお、化粧パネル１０及び製品本体２０は双方とも平面形状が長方形であるが、従来一般的なものと同様に製品本体２０のほうが一回り小さい長方形になっている。
【００２９】
化粧パネル１０は、図１及び図２に示すように、対向する二つの長辺に沿って温度調節された空気を室内へ吹き出す室内吹出口１１が形成されている。また、この室内吹出口１１の内側に、室内空気を吸い込む細長の室内吸込口１２が形成されている。そして、一対の室内吸込口１２に挟まれる中央部は、フラットパネル部１３として形成されている。なお、このように化粧パネル１０において、対向する長辺に沿って二つの室内吹出口１１が形成されたものは、一般に２方向吹出式（ダブルフロ−タイプ）と称されている。
【００３０】
製品本体２０は、図１〜図３から見て分かるように、直方体状を成す箱形の本体ケーシング２１を有する。本体ケーシング２１の内面には、発泡スチロールからなる断熱材２２が全面的に貼付されている。断熱材２２は、製品本体２０の内面に嵌め込んで貼付できる箱形に一体成形されている。
【００３１】
また、図２に示すように、製品本体２０は、本体ケーシング２１内に、送風機としての遠心ファン３０と、遠心ファン３０の吹出側に配置される室内側熱交換器４０と、室内側熱交換器４０の下方に配置されたドレンパン５０と、ドレンパン５０への空気通路中に配置されたエアフィルタ６０とを内蔵する。
【００３２】
遠心ファン３０は、図３に図示されるように、回転矢印Ｙの方向に回転するターボファンである。遠心ファン３０の羽根車３１は、本体ケーシング２１の平面視中央部に配置されている。この羽根車３１は、図２に示すように、回転軸を鉛直方向とするとともに、ファン吸込口３２が下方となるように配置されている。したがって、この羽根車３１のファン吸込口３２は、フラットパネル部１３と平行、つまり水平となるように配置されている。また、このファン吸込口３２のドレンパン５０側には、ベルマウス３３が配置されている。
【００３３】
室内側熱交換器４０は、図２及び図３に示すように、本体ケーシング２１の長辺を成す一対の側板の内側に配設された２個の分岐熱交換器４１から形成されている。したがって、この分岐熱交換器４１は、遠心ファン３０の吹出側に配置されている。また、この分岐熱交換器４１は、熱交換チューブにプレートフィンが取り付けられたプレートフィンコイルである。分岐熱交換器４１は、図３に示すように、中間部が本体ケーシング２１の側板に対し一定の隙間を置いて配置され、両端部が中心側に折曲された形状を有している。分岐熱交換器４１と本体ケーシング２１の側板との間の隙間は、室内吹出口１１と連通し、熱交換された空気を室内へ吹き出す吹出通風路２３を形成している（図２参照）。
【００３４】
ドレンパン５０は、分岐熱交換器４１の直下部分が、分岐熱交換器４１からのドレン水を受けるための溝部５１に形成されている。また、ドレンパン５０は、遠心ファン３０の吹出側と吸込側とを仕切る仕切り部材を兼用するように溝部５１以外の部分で連結されている。この部分をこの明細書では仕切板兼用部５２と称する。
【００３５】
仕切板兼用部５２は、図２に示すように、ベルマウス３３が取り付けられる部分に丸穴５３が開口され、その下方に直方体状の空間部５４が形成されている。空間部５４は、エアフィルタ６０を通過した空気がベルマウス３３に円滑に吸い込まれるようにエアフィルタ６０の形状に匹敵する大きさの平面視四角形に形成されている。このようにして、遠心ファン３０のファン吸込口３２がベルマウス３３及び空間部５４を介してエアフィルタ６０と連通している。また、仕切板兼用部５２の長手方向側方には、図２に示すように、分岐熱交換器４１と側板との隙間により形成される吹出通風路２３の下方において、化粧パネル１０の室内吹出口１１に連通するように細長の開口部５５が形成されている。
【００３６】
エアフィルタ６０は、図２に示すように、ドレンパン５０における仕切板兼用部５２の下方、より具体的には、四角形の空間部５４の下方においてフラットパネル部１３の方に突出するように取り付けられている。
【００３７】
エアフィルタ６０は、図４及び図５に示すように、平面視略矩形状であって、濾過面をプリーツ形状に折曲したフィルタ濾材６１と、このフィルタ濾材６１の周囲を固定する枠部材６２とを備えている。枠部材６２は、フィルタ濾材６１の折り山線に垂直な一対の第１枠体６３と、フィルタ濾材６１の折り山線に平行な一対の第２枠体６４とを備えており、第１枠体６３が長手方向となるように形成されている。
【００３８】
第１枠体６３及び第２枠体６４は、図６に示すように、枠部材６２の内周側に形成される空気通過面に平行な水平面部に形成された平面壁６３ａ、６４ａと、エアフィルタ６０の端面を接合する、前記空気通過面に垂直な側面壁６３ｂ、６４ｂとからなる断面Ｌ字形に形成されている。第１枠体６３の平面壁６３ａは、側面壁６３ｂの上端から水平に延びるように形成され、エアフィルタ６０の取付面部を構成している。
【００３９】
第１枠体６３の側面壁６３ｂは、フィルタ濾材６１の、折り山線に垂直な端面を接合する。また、側面壁６３ｂにおける、フィルタ濾材６１の吸込側に位置する端部の長さ方向の形状は、長さ方向全体にわたりフィルタ濾材６１の端面が描く折曲線に沿う凹凸形状に形成されている。ここで、側面壁６３ｂにおける、フィルタ濾材６１の吸込側に位置する端部とは、この実施の形態においては、側面壁６３ｂの下端部に相当する。したがって、フィルタ濾材６１の吸込側に位置する、凹凸形状部の壁面の形成されていない部分は、フィルタ濾材６１の吸込側に位置する空気通路部６３ｃとして形成されていることになる。
【００４０】
より詳細には、第１枠体６３は、側面壁６３ｂの下端近傍の内面側に、フィルタ濾材６１の端面が描く折曲線に対応する波型形状の厚肉部６３ｄが形成されている。このため、この厚肉部６３ｄ下方の壁面を有しない部分が、空気通路部６３ｃとなっている。したがって、この空気通路部６３ｃは、エアフィルタ６０の下面、すなわち、枠部材６２内周側の空気通過面とともにエアフィルタ６０における空気吸込口を成している。また、厚肉部６３ｄが形成されることにより、第１枠体６３の強度を大きくすることが容易になる。このようにして第１枠体６３の側面、すなわち、側面壁６３ｂが形成されている側面に、空気通路部６３ｃが形成されている。また、この空気通路部６３ｃの中央部の上方には、フィルタ濾材６１の折り山形状に合致する突出部６３ｅが形成されている。
【００４１】
また、図４、図５及び図７に示すように、第１枠体６３の平面壁６３ａには、長手方向の２箇所、計４箇所にドレンパン５０の空間部５４の下方に取り付けられている取付板５６への取付部６５が形成されている。この取付部６５は、他の部分より取付板５６の板厚分程度低く窪ませた部分として形成されている。図７に示すように、この窪んだ取付部６５に上方から取付板５６が嵌め込まれ、下部から取付板５６に軸支された係合片５７により弾性的に挟み込まれて取り付けられるように構成されている。
【００４２】
係合片５７は、図７に破線矢印で示すように回転可能に、かつ、両端位置において保持可能に形成されている。すなわち、係合片５７は、エアフィルタ６０の取付時に鉛直方向に向けられ、次いで取付部６５が所定位置となるようにエアフィルタ６０が配置された状態において水平方向に回転される。係合片５７がこの状態を維持することにより、取付部６５が係合片５７と取付板５６とにより挟まれた状態で保持され、エアフィルタ６０が固定される。なお、図示しないが、係合片５７の回転保持機構は係合片５７の軸部に組み込まれている。また、この取付板５６及び係合片５７は、一対の第１枠体６３の平面壁をそれぞれ２箇所において、全体として４箇所において支持するようにドレンパン５０に組み込まれている。
【００４３】
また、枠部材６２は、枠部材６２の内周側の空気通過面、すなわち、第１枠体６３及び第２枠体６４により取り囲まれる空気通過面を、長手方向に複数に分割する、短手方向に延びる短手中間枠６６と、短手方向に複数に分割する、長手方向に延びる長手中間枠６７とを備えている。
【００４４】
短手中間枠６６は、図５、図６及び図８に図示されるように、フィルタ濾材６１における５個又は６個置きの折り山部の位置に形成された棒状部材であって、上方から見ると四角形の外観形状を呈する。そして、短手中間枠６６は、図８に示される断面から分かるように、下方にはフィルタ濾材６１の折り山形状に略合致する形状の溝６６ａが形成されている。すなわち、この短手中間枠６６は、フィルタ濾材６１の上方の折り山部を覆うような断面形状の棒状部材に形成されている。
【００４５】
長手中間枠６７は、板状部材６７ａを有し、この板状部材６７ａの下端が第１枠体６３における側面壁６３ｂの下端形状と同様の凹凸形状に形成されている。したがって、この凹凸形状部における壁面の形成されていない山形形状部６７ｂが複数連続的に形成されている。また、この山形形状部６７ｂの上部には、フィルタ濾材６１の折り山形状に合致する略三角形の突出部６７ｃが両面に形成されている。
【００４６】
上記構成のエアフィルタ６０は、樹脂射出成形によって枠部材６２を形成するとともに、枠部材６２の樹脂射出成形時にフィルタ濾材６１の外周部及び中間部を枠部材６２内に埋め込む方法により形成されている。
【００４７】
すなわち、この成形方法では、枠部材６２を樹脂一体成形する金型内にフィルタ濾材６１を予め組み込んでおき、その状態で枠部材６２を樹脂射出成形する。こうすると、枠部材６２が樹脂一体成形される際に、フィルタ濾材６１の外周部が、第１枠体６３及び第２枠体６４の内面側から埋め込まれる。また、フィルタ濾材６１の上方の折り山部が、５個又は６個おきに短手中間枠６６に合致する位置にあるため、これら折り山部が溝６６ａから短手中間枠６６に埋め込まれる。さらにフィルタ濾材６１の折り山線方向の中央部が、長手中間枠６７において山形形状部６７ｂを形成する板状部材６７ａや突出部６７ｃに埋め込まれる。
【００４８】
このようにして、エアフィルタ６０は、フィルタ濾材６１の外周部が枠部材６２を構成する第１枠体６３及び第２枠体６４に埋め込まれるとともに、フィルタ濾材６１の中間部が枠部材６２を構成する短手中間枠６６及び長手中間枠６７に埋め込まれることにより、フィルタ濾材６１と枠部材６２とが一体的に形成される。また、樹脂一体成形する金型を、第１枠体６３の側面壁６３ｂの下端形状がフィルタ濾材６１の端面が描く折曲線に沿う形状となるように形成しておくことにより、樹脂射出成形完了とともに空気通路部６３ｃが形成される。
【００４９】
フィルタ濾材６１及び枠部材６２の材料は、従来から知られているものを用いることができる。
フィルタ濾材６１としては、例えば、ポリテトラフルオロエチレン（ＰＴＦＥ）多孔質膜と通気性繊維層との積層体を用いることができる。通気性繊維層は、フェルト、不織布、織布、メッシュ（網目状シート）等を用いればよい。通気性繊維層を構成する材料としては、ポリオレフィン(例えばポリエチレン（ＰＥ）、ポリプロピレン)、ポリアミド（芳香族ポリアミドを含む）、ポリエステル（例えばポリエチレンテレフタレート（ＰＥＴ））等を用いればよい。フィルタ濾材６１の厚さは、プリーツ加工した後にその形状が保持される程度であることが望ましく、例えば、０．０５ｍｍ〜１ｍｍが好ましい。
【００５０】
枠部材６２を構成する樹脂としては、例えば、ポリオレフィン系樹脂、ポリアミド系樹脂、ポリウレタン系樹脂、ポリエステル系樹脂、ポリスチレン系樹脂やこれらの複合材料を用いることができる。枠部材６２は、上記樹脂の他に、顔料、抗菌剤炭素繊維等の短歌材等を含んでもよい。また、枠部材６２は、フィルタ濾材６１を保持するとともにフィルタ濾材６１の形状を維持するものであるので、人間の力により変形しない程度の強度を有していればよい。
【００５１】
（作用）
次に、本実施の形態に係る空気調和機の作用について説明する。
先ず、本実施の形態に係る天井埋込型空気調和機における空調運転について説明する。この天井埋込型空気調和機は、図示しない室外ユニットに搭載された圧縮機と、製品本体２０内に収納された遠心ファン３０が運転されることにより空調運転が行われる。空調運転に入ると、室内空気は、図２に実線矢印で示されるように流通される。具体的には、室内空気は、室内吸込口１２からエアフィルタ６０を通過して遠心ファン３０に吸い込まれる。
【００５２】
この場合において室内吸込口１２から吸い込まれた室内空気のうちの一部は、フラットパネル部１３とエアフィルタ６０との間のスペースを介してエアフィルタ６０下面の空気通過面からフィルタ濾材６１を通過して遠心ファン３０の羽根車３１に吸い込まれる。しかし、室内吸込口１２から吸い込まれた室内空気のうちの他の一部は、図２に示すように、室内吸込口１２から直接的にエアフィルタ６０の側面の第１枠体６３に形成された空気通路部６３ｃの方に流れる。そして、図９に示すように、この空気が、空気通路部６３ｃから吸い込まれフィルタ濾材６１を通過して遠心ファン３０に吸い込まれる。
【００５３】
したがって、フラットパネル部１３とエアフィルタ６０との間のスペースを通過する風量は、室内吸込口１２から吸い込まれた室内空気が全てフラットパネル部１３とエアフィルタ６０との間のスペースを介して遠心ファン３０の羽根車３１に吸い込まれる場合に比し、第１枠体６３の空気通路部６３ｃから吸い込まれる風量分少なくなる。これにより、フラットパネル部１３とエアフィルタ６０との間のスペースを小さくすることができ、この分空気調和機を小型することができる。
【００５４】
上記空気流れにおいて、エアフィルタ６０の外周枠を構成する第１枠体６３及び第２枠体６４のうち、寸法が長く、かつ、室内吸込口１２と平行であって、室内吸込口１２の上方に位置する第１枠体６３に空気通路部６３ｃが形成されている。したがって、フラットパネル部１３とエアフィルタ６０との間の風量を低減する量は、空気通路部６３ｃが第２枠体６４に形成される場合に比べて格段に多くなる。これに対して、第２枠体６４の長さ寸法が第１枠体６３に比し短いため、フィルタ濾材６１の折り山線の方向を９０度変更し、第２枠体６４に前記と同様に空気通路部を形成したとしても、その空気通路部の合計面積を大きくすることができない。また、第２枠体６４に空気通路部を形成したとしても、この空気通路部は室内吸込口１２とは直角方向となるため、室内吸込口１２からの空気を直接的に吸い込むことが難しい。このために、本実施の形態においては、フィルタ濾材６１の折り山線の方向を図５図示のように第１枠体６３のみに空気通路部６３ｃを形成している。
【００５５】
遠心ファン３０の羽根車３１に吸い込まれた空気は、遠心ファン３０の羽根車３１の外周から吹き出され、対向する二つの分岐熱交換器４１に分散されて通過することにより温度調節される。そして、温度調節された空気が、ドレンパン５０の側部に形成された細長の開口部５５を介し室内吹出口１１から室内へ吹き出される。
【００５６】
上記構成の空気調和機において、フラットパネル部１３とエアフィルタ６０との間の隙間を小さくするには、エアフィルタ６０のフィルタ濾材６１の形状を変形しないように維持してエアフィルタ６０の空気抵抗が大きくなることを防止することが重要である。この点に関し、本実施の形態においては、濾過面をプリーツ形状に折曲したフィルタ濾材６１の外周及びその中間部を枠部材６２の第１枠体６３、第２枠体６４、短手中間枠６６及び長手中間枠６７に埋め込ませているので、枠部材６２によるフィルタ濾材６１の保持力が強化されるとともに、フィルタ濾材６１のプリーツ形状の形崩れが少なくなる。
【００５７】
具体的には、フィルタ濾材６１の折り山線に垂直な端部は、第１枠体６３の内面側に埋め込まれる。この場合において、フィルタ濾材６１の折り山線に垂直な端部は、第１枠体６３の内面側に形成された厚肉部６３ｄに埋め込まれる。また、フィルタ濾材６１の上方の折り山部の端部は、空気通路部６３ｃの上方中央部の突出部６３ｅに埋め込まれるので、折り山部の位置が強固に維持される。
【００５８】
また、フィルタ濾材６１の折り山線方向の中間部は、長手中間枠６７の山形形状部６７ｂおいて埋め込まれる、この場合において、フィルタ濾材６１の折り山部は、突出部６７ｃに埋め込まれている。また、フィルタ濾材６１の折り山部は、５個または６個おきに形成されている棒状の短手中間枠６６に埋め込まれている。
【００５９】
（実施の形態の効果）
本実施の形態に係る天井埋込型空気調和機は、以上のように構成されているので、次のような効果を奏することができる。
【００６０】
（１）室内吸込口１２から吸い込まれた空気は、その一部がフラットパネル部１３とエアフィルタ６０との隙間を通過せずに直接的にエアフィルタ６０の側面、すなわち、第１枠体６３の側面壁６３ｂが形成されている面からエアフィルタ６０に吸い込まれる。このため、フラットパネル部１３とエアフィルタ６０との隙間を通過する空気量を減少させることができ、その分フラットパネル部１３とエアフィルタ６０との隙間を減少させることができる。これにより空気調和機をコンパクト化することができる。
【００６１】
（２）エアフィルタ６０は、枠部材６２を構成する長手方向の第１枠体６３とフィルタ濾材６１の折り山線が垂直となるように構成されるとともに、第１枠体６３に空気通路部６３ｃが形成されているので、効果的にフラットパネル部１３とエアフィルタ６０との隙間を通過する風量を減少させることができる。したがって、効果的に空気調和機をコンパクト化することができる。
【００６２】
（３）第１枠体６３は樹脂一体成形されるので、第１枠体６３の側面壁６３ｂが形成されている面におけるフィルタ濾材６１の吸込側に、空気通路部６３ｃを容易に形成することができる。また、第１枠体６３は、上記のようにフィルタ濾材６１の外周を埋め込むように樹脂一体成形されているので、フィルタ濾材６１の保持強度を大きくすることができる。また、第１枠体６３の肉厚を適宜選択することにより所要強度の第１枠体６３を得ることができる。
【００６３】
（４）第１枠体６３は、フィルタ濾材６１の折り山線に垂直な端部が埋め込まれる側面壁６３ｂの内面側部分に、フィルタ濾材６１の端面が描く折曲線形状に対応する波型形状の厚肉部６３ｄを有しているので、第１枠体６３に使用する材料を節約しながら、フィルタ濾材６１の折り山線に垂直な端部を埋め込む強度を大きくすることができる。また、第１枠体６３の強度を大きくし、惹いては枠部材６２の強度を大きくすることができる。
【００６４】
（５）フィルタ濾材６１の中間部分が短手中間枠６６及び長手中間枠６７により支持されるので、フィルタ濾材６１の耐久性が向上するとともに、プリーツ形状がより変形し難くなり、エアフィルタ６０の空気抵抗の低下を防止することができる。また、これら中間枠により枠部材６２の強度が向上し、エアフィルタ６０の強度が向上する。
【００６５】
（６）近年事務所ビル等の建築物への普及率が高まっている天井埋込型空気調和機をコンパクト化することにより、事務所ビル等の建築物における空調機の省スペース化、取付工事の省力化に貢献することができる。
【００６６】
（変形例）
本発明に係る空気調和機は、上記実施の形態に限定されることなく、以下の変形例も適用可能である。なお、以下の変形例については、異なる変形例同士を適宜互いに組み合わせて適用してもよい。
【００６７】
・上記実施の形態は、二方向吹出式の天井埋込型空気調和機に関するものであったが、前面を正面とする壁掛け型空気調和機や、天井埋込型空気調和機と同様に下面を正面とする天井吊下げ型空気調和機等に同様趣旨の構造を採用することが可能である。
【００６８】
・上記実施の形態においては、フィルタ濾材６１の吸込側に位置する、側面壁６３ｂにおける端部の長さ方向の形状は、長さ方向全体にわたりフィルタ濾材６１の端面が描く折曲線に沿う凹凸形状に形成されていた。しかし、長さ方向において凹凸形状を形成する部分は、全体ではなく大部分、すなわち、長さ方向の半分〜全体の範囲に形成したものも本発明に含まれる。
【００６９】
・エアフィルタ６０は、フィルタ濾材６１の外周部や中間部が枠部材６２に埋め込まれて一体成形されたものであるが、このように一体成形されたものに限られるものではない。すなわち、エアフィルタ６０を構成する枠部材に対しフィルタ濾材６１を機械的に固定したものでもよい。なお、このようなものに比べて、前記実施の形態におけるものは、構造が簡易であり、フィルタ濾材６１の保持強度や形状維持性能を優れたものとすることができる利点がある。
【００７０】
・前記実施の形態に記載された枠部材６２の具体的な構造は、一例であって本発明の趣旨を逸脱しない範囲で変形することは可能である。例えば、第１枠体６３における厚肉部６３ｄ、突出部６３ｅの何れか又は何れをも省略することも可能である。この場合に、第１枠体６３全体の肉厚を厚くして、その強度を大きくすることもできる。また、短手中間枠６６の間隔を小さくしたり大きくしたりして、その本数を適宜変更することもできる。また、長手中間枠６７において板状部材６７ａの下方を延長して山形形状部６７ｂを廃止することもできる。この場合は、フィルタ濾材６１をこの長手中間枠６７で仕切った形状として枠部材６２を成形する金型内にフィルタ濾材６１を予め組み込めばよい。
【符号の説明】
【００７１】
Ｒ…天井材、１０…化粧パネル、１１…室内吹出口、１２…室内吸込口、１３…フラットパネル部、２０…製品本体、２１…本体ケーシング、３０…遠心ファン、３２…ファン吸込口、４０…室内側熱交換器、６０…エアフィルタ、６１…フィルタ濾材、６２…枠部材、６３…第１枠体、６３ｂ…側面壁、６３ｃ…空気通路部、６３ｄ…厚肉部、６４…第２枠体、６６…短手中間枠、６７…長手中間枠。
【図１】
2014031995.tif 000003
【図２】
2014031995.tif 000004
【図３】
2014031995.tif 000005
【図４】
2014031995.tif 000006
【図５】
2014031995.tif 000007
【図６】
2014031995.tif 000008
【図７】
2014031995.tif 000009
【図８】
2014031995.tif 000010
【図９】
2014031995.tif 000011
【図１０】
2014031995.tif 000012
【図１１】
2014031995.tif 000013